(57)【特許請求の範囲】
【請求項１】
ユーザが画像形成装置に発生する典型的な不具合を保守する作業、又は画像形成装置に機能を提供させるために必要な作業を検知する作業検知手段と、
上記作業検知手段が検知する所定の作業と、当該作業を検知した際に書き込まれた書き込み情報とを関連付けて記憶する書き込み情報記憶手段と、
上記作業検知手段が所定の作業を検知すると、上記書き込み情報記憶手段の記憶内容に基づいて、当該検知された作業に関連付けられた書き込み情報を表示する書き込み情報表示手段と、
上記検知された作業に対してユーザが書き込んだ新たな書き込み情報を受け付け、当該受け付けた新たな書き込み情報を、上記検知された作業に対応する書き込み情報に関連付けて記憶させる書き込み情報受付手段と
を備えることを特徴とする画像形成装置。
【請求項２】
上記書き込み情報表示手段は、最新の書き込み情報を最上位に表示する
請求項１に記載の画像形成装置。
【請求項３】
さらに、上記書き込み情報受付手段が受け付けた書き込み情報を、所定の通信先に送信するとともに、当該書き込み情報に対して通信先から返信情報を受信する書き込み情報通信手段を備え、
上記書き込み情報記憶手段は、上記書き込み情報通信手段が受信した返信情報を、当該返信情報に対応する書き込み情報に関連付けて記憶し、
上記書き込み情報表示手段は、上記作業検知手段が所定の作業を検知すると、上記書き込み情報記憶手段の記憶内容に基づいて、当該検知された作業に関連つけられた書き込み情報と、当該書き込み情報の返信情報とを表示することを特徴とする請求項１又は２に記載の画像形成装置。
【請求項４】
ユーザが画像形成装置に発生する典型的な不具合を保守する作業、又は画像形成装置に機能を提供させるために必要な作業を検知する作業検知ステップと、
上記作業検知手段が検知する所定の作業と、当該作業を検知した際に書き込まれた書き込み情報とを関連付けて記憶する書き込み情報記憶ステップと、
上記作業検知手段が所定の作業を検知すると、上記書き込み情報記憶ステップの記憶内容に基づいて、当該検知された作業に関連付けられた書き込み情報を表示する書き込み情報表示手段と、
上記検知された作業に対してユーザが書き込んだ新たな書き込み情報を受け付け、当該受け付けた新たな書き込み情報を、上記検知された作業に対応する書き込み情報に関連付けて記憶させる書き込み情報受付ステップと
を備えることを特徴とする画像形成装置の表示方法。
【請求項５】
上記書き込み情報表示ステップは、最新の書き込み情報を最上位に表示する
請求項４に記載の画像形成装置の表示方法。
【請求項６】
さらに、上記書き込み情報受付ステップが受け付けた書き込み情報を、所定の通信先に送信するとともに、その書き込み情報に対して通信先から返信情報を受信する書き込み情報通信ステップを備え、
上記書き込み情報記憶ステップは、上記書き込み情報通信ステップが受信した返信情報を、当該返信情報に対応する書き込み情報に関連付けて記憶し、
上記書き込み情報表示ステップは、上記作業検知ステップが所定の作業を検知すると、上記書き込み情報記憶ステップの記憶内容に基づいて、当該検知された作業に関連つけられた書き込み情報と、当該書き込み情報の返信情報とを表示することを特徴とする請求項４又は５に記載の画像形成装置の表示方法。
【発明の詳細な説明】
【技術分野】
【０００１】
本発明は、画像形成装置及び画像形成装置の表示方法に関し、詳しくは、画像形成装置に関連する情報を適切に共有化することが可能な画像形成装置及び画像形成装置の表示方法に関する。
【背景技術】
【０００２】
近年、画像形成装置は、提供可能な機能を複数備えるようになっており、多機能化を迎えている。その機能は、コピー機能に加えて、ファクシミリ送信機能、スキャン機能、プリント機能、ステープル機能、パンチ機能等であり、種類も様々である。さらに、上記機能の多様化とともに、機能提供に供される原稿を自動的に順次給送可能な自動原稿給送装置（ＡＤＦ）も搭載されるようになってきている。
【０００３】
上記画像形成装置は、通常、所定の部署等に１台設置されるため、複数人が共有使用することが多く、その記録媒体（シート等）、トナー等の使用量が著しく消費されることが多い。そのため、上記のような共有使用される画像形成装置では、頻繁にシートやトナー等の交換をしなければならない。
【０００４】
しかし、共有使用している画像形成装置は、各ユーザが個人で所有しているものでないため、シートの紙切れ、トナーエンド、紙詰まり等の画像形成装置に関する不具合（トラブル）が発生したとしても、ユーザが他人を当てにしてしまい、対処が遅れたり、そのままトラブルを放置してしまったりするという問題がある。
【０００５】
上記問題を解決するために、特開平１１−２０２７７号公報（特許文献１）には、ネットワーク上に接続されるネットワークプリンタ装置において、該ネットワークプリンタ装置の動作に関する警告が該ネットワークプリンタ装置で発生した場合、ネットワーク上のユーザを指定して、発生した警告の内容を通知する機能を備えたことを特徴とするネットワークプリンタ装置が開示されている。上記構成により、警告に対する速やかな対応を促すことにより常にプリンタを正常な状態に維持することが可能になるとしている。
【特許文献１】特開平１１−２０２７７号公報
【発明の開示】
【発明が解決しようとする課題】
【０００６】
しかしながら、特許文献１に記載の技術では、ネットワークプリンタ装置に備えられた所定のセンサが検知可能な不具合に警告対象が限定されるという問題がある。例えば、所定のセンサによって検知できないような不具合、即ち、人の五感によって感知可能な不具合について、上記技術では対応することが出来ない。また、そのような不具合については、ユーザが感知したとしても、どのように対応してよいか不明であること、管理者に通知することに手間が掛かること、別のユーザに知らせる手段がないこと等の理由により、そのまま放置にされるか、対応が先送りにされるという問題がある。
【０００７】
また、近年では、画像形成装置の多機能化、高機能化に伴い、画像形成装置を長年使用することによって便利な使い方や円滑に画像形成処理するためのノウハウ・コツ等が発生することが多い。そのような情報は、共有使用するユーザにとって非常に有用な情報であるものの、画像形成装置には、特に別のユーザに知らせる手段がないため、通常各ユーザが保有しているに留まり、有効に共有化されていないという実態がある。
【０００８】
上記実態に対して、例えば、ユーザが有用な情報をリスト化して画像形成装置の近傍に備え付けるという対応があるものの、多くの場合、ユーザが現時点で行っている作業についての有用な情報を探し出す必要があり、当該対応が功を奏さないことが多い。
【０００９】
そこで、本発明は、上記問題を解決するためになされたものであり、画像形成装置に関連する情報を適切に共有化することが可能な画像形成装置及び画像形成装置の表示方法を提供することを目的とする。
【課題を解決するための手段】
【００１０】
上述した課題を解決し、目的を達成するために、本発明に係る画像形成装置は、ユーザが画像形成装置に発生する典型的な不具合を保守する作業、又は画像形成装置に機能を提供させるために必要な作業を検知する作業検知手段と、上記作業検知手段が検知する所定の作業と、当該作業を検知した際に書き込まれた書き込み情報とを関連付けて記憶する書き込み情報記憶手段と、上記作業検知手段が所定の作業を検知すると、上記書き込み情報記憶手段の記憶内容に基づいて、当該検知された作業に関連付けられた書き込み情報を表示する書き込み情報表示手段と、上記検知された作業に対してユーザが書き込んだ新たな書き込み情報を受け付け、当該受け付けた新たな書き込み情報を、上記検知された作業に対応する書き込み情報に関連付けて記憶させる書き込み情報受付手段とを備える。
【００１１】
ユーザが行う所定の作業は、例えば、画像形成装置に発生する典型的な不具合（シートの紙切れ、トナーエンド、紙詰まり等）を保守する作業、画像形成装置に機能を提供させるために必要な作業（条件入力作業、手差しトレイに不定型シートを載置させる作業、原稿を原稿台に載置させる作業）、その他保守作業等が該当する。
【００１２】
作業検知手段が、ユーザが行う所定の作業を検知する方法は、例えば、作業をユーザが行なう際に不可避的に所定の箇所に接触する場合（設定条件を入力する際にユーザがタッチパネルを操作する場合、原稿を載置する際にユーザが原稿載置トレイの規制板を移動させる場合等）、その箇所に接触検知可能なセンサを設けて、そのセンサの接触によってユーザの作業を検知する方法、不可避的に所定の部材を移動する場合（給紙カセットにシートを補充する際にユーザが給紙カセットを引き出す場合、トナーを交換する際にユーザがトナーカバーを開く場合等）、その所定の部材の移動を検知可能なセンサを設けて、そのセンサの検知によってユーザの作業を検知する方法、ユーザが所定の操作条件を入力する際にユーザが押下したキー等を検知する方法等が採用される。
【００１３】
上記センサは、例えば、光学センサ（フォトインタラプタ等の透過型光学センサ、反射型光学センサ）、重量センサ、磁気センサ、接触センサ、これらに関連するセンサを採用することができる。
【００１４】
書き込み情報は、ユーザが画像形成装置に入力した文字、図形、記号等の情報であり、例えば、上述した人の五感によって感知可能な不具合（紙の給紙時にガタガタと音が鳴るという不具合、機械的な金きり音がなるという不具合、カラー印刷時の色味（印刷等のシートにおける微細な色合いのこと）が通常と異なるという不具合、印刷された部分に擦れた色が存在するという不具合、タッチパネルの液晶の照明が暗くなっているという不具合、タッチパネルの応答が不調であるという不具合等）、各ユーザが保有する便利な使い方に関する情報、円滑に画像形成処理するためのノウハウ・コツに関する情報、その他連絡事項等が該当する。
【００１５】
書き込み情報受付手段が、ユーザが書き込んだ書き込み情報を受け付ける方法は、例えば、画像形成装置に備えられた入力装置であるキーボード、タッチパネル上に表示されたキーボード画面、手書き情報を入力可能なタッチペン等によって受け付ける方法を採用することができ、さらに、パーソナルコンピューターやインターネット上で使用されている技術、例えば、誰でも手軽に情報を書き込むことが可能な電子掲示板、付箋等に関連する技術を用いても構わない。
【００１６】
上記作業検知手段が所定の作業を検知した際に、書き込み情報受付手段が受け付ける時点は、当該作業検知手段が所定の作業を検知した直後でも、検知後所定の時間経過後でも、ユーザが所定のボタンを押下した時点でも構わない。
【００１８】
作業と、書き込み情報とを関連付けて記憶する方法は、例えば、作業検知手段が検知する接触信号（脱離信号）と、その接触信号（脱離信号）を検知する際に受け付けた書き込み情報とをテーブルに関連付けて記憶する方法等が採用される。
【００１９】
上記作業検知手段が所定の作業を検知した際に、その作業に関連する書き込み情報を表示する方法は、例えば、所定のデスクトップ、タッチパネル等に既に表示されている画面の最前面に当該書き込み情報を表示した画面を表示する方法、予め書き込み情報を表示する画面・スペースを初期画面等に設けておき、所定の作業が検知される毎に、その画面・スペースに書き込み情報を表示する方法、ユーザが所定のボタンを押下した際に書き込み情報を表示する方法等が採用される。
【００２０】
又、上記書き込み情報表示手段は、最新の書き込み情報を最上位に表示する。さらに、上記書き込み情報受付手段が受け付けた書き込み情報を、所定の通信先に送信するとともに、当該書き込み情報に対して通信先から返信情報を受信する書き込み情報通信手段を備え、上記書き込み情報記憶手段は、上記書き込み情報通信手段が受信した返信情報を、当該返信情報に対応する書き込み情報に関連付けて記憶し、上記書き込み情報表示手段は、上記作業検知手段が所定の作業を検知すると、上記書き込み情報記憶手段の記憶内容に基づいて、当該検知された作業に関連つけられた書き込み情報と、当該書き込み情報の返信情報とを表示するよう構成することができる。
【００２１】
通信先は、電気通信回線等を用いて特定される場所であり、例えば、所定の識別番号、ＩＰアドレス、ポート番号等を採用できる。所定のメール機能、ファクシミリ機能等に関連する技術を採用しても構わない。所定の通信先には、例えば、画像形成装置の管理者、メインテナンス専門の保守者等が該当する。
【００２２】
なお、本発明は、電気通信回線などを介して個別に流通するプログラムとして提供することができる。この場合、図示しない中央演算処理装置（ＣＰＵ）が、本発明のプログラムにしたがってＣＰＵ以外の各回路と協働して制御動作を実現している。但し、上記プログラム及びＣＰＵを用いて実現される各手段は、専用のハードウェアを用い構成することもできる。
【００２３】
また、プログラムは、ＣＤ−ＲＯＭなどのコンピュータ読み取り可能な記録媒体に記録された状態で流通することもある。さらに、各手段が実行するステップを画像形成装置の表示方法として提供することも可能である。
【発明の効果】
【００２４】
本発明の画像形成装置によれば、ユーザが画像形成装置に発生する典型的な不具合を保守する作業、又は画像形成装置に機能を提供させるために必要な作業を検知する作業検知手段と、上記作業検知手段が検知する所定の作業と、当該作業を検知した際に書き込まれた書き込み情報とを関連付けて記憶する書き込み情報記憶手段と、上記作業検知手段が所定の作業を検知すると、上記書き込み情報記憶手段の記憶内容に基づいて、当該検知された作業に関連付けられた書き込み情報を表示する書き込み情報表示手段と、上記検知された作業に対してユーザが書き込んだ新たな書き込み情報を受け付け、当該受け付けた新たな書き込み情報を、上記検知された作業に対応する書き込み情報に関連付けて記憶させる書き込み情報受付手段とを備えるよう構成することができる。
【００２５】
これにより、作業を行なっているユーザが、現時点で気がついた不具合や発見した便利な使い方等を、その作業に対して即時に書き込むことが可能となるため、各ユーザに所定の情報が留まることなく、その情報を別のユーザに知らせる機会を与え、情報の共有化を促進することが可能となる。さらに、所定の作業に対してユーザが書き込みを行うことができるため、書き込まれた情報が拡散し、適切に共有化されないことを防止する。
【００２７】
又、ユーザが現時点行っている作業に関連する書き込み情報をタイミングよく確認することが可能となる。そのため、ユーザは、表示された書き込み情報、例えば、警報に至らないまでの不具合を認識したり、便利な使い方・ノウハウ等を有効に活用することができ、結果として、各ユーザの保有していた有用な情報をユーザ相互で効率よく共有化することが可能となる。
【００２８】
さらに、受け付けた書き込み情報を、所定の通信先に送信するとともに、その書き込み情報に対して通信先から返信情報を受信し、受信した返信情報を、その返信情報に対応する書き込み情報に関連付けて記憶し、所定の作業を検知した際に、その作業に関連つけられた書き込み情報と、その返信情報とを表示するよう構成することができる。
【００２９】
これにより、作業を行なっているユーザが現時点で発見した不具合や気になる事項を、そのまま所定の連絡先、例えば、画像形成装置の管理者やサービスマンに対して容易に送信することが可能となる。そのため、警報に至らない些細な不具合についても、そのまま放置にされることなく、その処理を促進することが可能となる。さらに、所定の連絡先から受信した返信情報を、送信した書き込み情報とともに表示するため、書き込まれた不具合等に対応して所定の処理が施されたか否かを別のユーザも確認することが可能となるため、現時点での対応内容や新たな情報についても共有化を図ることが可能となる。
【００３０】
なお、各手段が実行するステップを画像形成装置の表示方法として採用しても、上記作用効果を奏することは言うまでもない。
【発明を実施するための最良の形態】
【００３１】
以下に、添付図面を参照して、本発明の画像形成装置の実施形態について説明し、本発明の理解に供する。尚、以下の実施形態は、本発明を具体化した一例であって、本発明の技術的範囲を限定する性格のものではない。また、フローチャートにおける数字の前に付されたアルファベット「Ｓ」はステップを意味する。
【００３２】
＜画像形成装置＞
以下に、本発明の実施形態に係る画像形成装置は、プリンタ、コピー、スキャナ、ファックス等を備えた複合機、デジタル複写機、プリンタ等が該当し、コピーサービス、スキャナサービス、ファクシミリサービス、プリンタサービス等を備えた画像形成装置として機能する。
【００３３】
図１は、画像形成装置１００の概略模式図である。ただし、本発明に直接には関係しない各部の詳細は省略している。
【００３４】
なお、一例として複合機を利用して原稿のコピーを行う際の画像形成装置の動作を簡単に説明する。
【００３５】
ユーザが複合機１００を利用して例えば原稿の印刷を行う場合、原稿を図１に示す原稿台１０３、或いは載置台１０５に配置し、原稿台１０３近傍に供えられた操作部２００（後述する）に対して印刷の指示を行う。当該指示があると、以下に示す各部（駆動部）が動作することで、印刷が行われる。
【００３６】
即ち、図１に示すように、本実施の形態の複合機１００は、本体１０１と、本体１０１の上方に取り付けられたプラテンカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００３７】
自動原稿給紙装置１０４は、プラテンカバー１０２の内部に形成された原稿搬送路１０８と、プラテンカバー１０２の内部に備えられたピックアップローラ１０６や搬送ローラ１０７等で構成される。原稿搬送路１０８は、載置台１０５から、本体１０１に設けられた読取部１１０にて読み取りが行なわれる読取位置Ｐを経由して、排紙台１０９に通じる原稿の搬送路である。
【００３８】
自動原稿給紙装置１０４は、載置台１０５に載置された原稿１枚ずつをピックアップローラ１０６で搬送路内１０８に引き出し、搬送ローラ１０７等によって引き出した原稿を、読取位置Ｐを通過させて排紙台１０９に排紙する。読取位置Ｐを通過する時に原稿は読取部１１０にて読み取られる。
【００３９】
上記読取部１１０は、原稿台１０３の下方に設けられており、図２にその詳細が示されている。読取部１１０は、原稿台１０３を照射する主走査方向に長い光源１１１と、原稿台からの光を選択的に通過させるスリット１１６と、原稿台からの光を導くミラー１１２とを備える第一の移動キャリッジ１１７や、第一の移動キャリッジ１１７からの反射光を再度反射するミラー１１３Ａ、１１３Ｂを備える第二の移動キャリッジ１１８、さらにミラーで導かれた光を光学的に補正するレンズ群１１９、当該レンズ群１１９より補正された光を受光する撮像素子１１５、撮像素子にて受光した光を電気信号に変換し、必要に応じて補正・修正などを行う画像データ生成部１１４とで構成されている。
【００４０】
自動原稿給紙装置１０４上の原稿を読み取る場合には、光源１１１は、読取位置Ｐを照射できる位置に移動して発光する。光源１１１からの光は、原稿台１０３を透過して読取位置Ｐを通過する原稿にて反射し、スリット１１６、ミラー１１２、１１３Ａ、１１３Ｂ、レンズ群１１９によって撮像素子１１５に導かれる。撮像素子１１５は、受光した光を電気信号に変換して画像データ生成部１１４に送信する。画像データ生成部１１４には、上記撮像素子１１５にて受光された光がＲ（レッド）、Ｇ（グリーン）、Ｂ（ブルー）のアナログ電気信号として入力され、ここでアナログ−デジタル変換され、即ちデジタル化される。さらに、画像データ生成部１１４では、順次変換されたデジタル信号を単位データとし、これら単位データを補正、修正等することで複数の単位データからなる画像データを生成する。
【００４１】
また、読取部１１０は、自動原稿給紙装置１０４で搬送される原稿だけでなく、原稿台１０３に載置された原稿も読み取ることが可能となっている。原稿台１０３に載置された原稿を読み取る場合は、第一のキャリッジ１１２は、光源１１１を発光しながら副走査方向に移動し、光源１１１から撮像素子１１５までの光路長を一定にするために、第二の移動キャリッジ１１８は第一の移動キャリッジ１１７の１／２の速度で撮像素子１１５方向に移動する。
【００４２】
撮像素子１１５は、自動原稿給紙装置１０４に搬送された原稿のときと同様に、ミラー１１２、１１３Ａ、１１３Ｂに導かれた光に基づいて原稿台１０３に載置された原稿からの光を電気信号に変換し、これに基づいて画像データ生成部１１４が画像データを生成する。
【００４３】
本体１０１の読取部１１０の下方には、画像データを印刷する印刷部１２０を備えている。印刷部１２０が印刷できる画像データは、上記のように画像データ生成部１１４にて生成されたものや、その他複合機１００とＬＡＮ等のネットワークに接続されたパソコン等の端末から送信されたものである。
【００４４】
印刷部１２０が行う印刷方式には、電子写真方式が用いられている。即ち、感光ドラム１２１を帯電器１２２で一様に帯電させ、その後レーザー１２３で感光ドラム１２１を照射して感光ドラム１２１に潜像を形成し、現像器１２４で潜像にトナーを付着させて可視像を形成し、転写ローラにて可視像を用紙に転写する方式である。
【００４５】
なお、フルカラー画像に対応した複合機１００では、上記現像器（ロータリー現像器）１２４が、図１の紙面に対して垂直方向に構成される回転軸を中心として周方向に回転させられ、対応する色のトナーが格納された現像ユニットが感光ドラム１２１の対向位置に配置される。この状態で、感光ドラム１２１上の潜像が、現像器１２４が格納するトナーにより現像され、中間転写ベルト１２５Ａに転写される。なお、現像器１２４は、イエロー（Ｙ）、シアン(Ｃ)、マゼンタ(Ｍ)、ブラック(Ｋ)の各トナーをそれぞれ格納する４つの現像ユニット１２４（Ｙ）、(Ｃ)、(Ｍ)、(Ｋ)を有している。上記中間転写ベルト１２５Ａへの転写を上記各色毎に繰り返すことにより、当該中間転写ベルト１２５Ａ上にフルカラー画像が形成される。
【００４６】
可視像が印刷される用紙は、手差しトレイ１３１、給紙カセットＡ１３２、給紙カセットＢ１３３、給紙カセットＣ１３４などの給紙トレイに載置されたものである。
【００４７】
印刷部１２０が印刷を行う際には、何れか１つの給紙トレイから用紙１枚を、ピックアップローラ１３５を用いて引き出し、引き出した用紙を搬送ローラ１３７やレジストローラ１３８で中間転写ベルト１２５Ａと転写ローラ１２５Ｂの間に送り込む。
【００４８】
印刷部１２０は、中間転写ベルト１２５Ａと転写ローラ１２５Ｂの間に送り込んだ用紙に、上記中間転写ベルト１２５Ａ上の可視像を転写すると、可視像を定着させるために、搬送ベルト１２６で定着装置１２７に用紙を送る。定着装置１２７は、ヒータが内蔵された加熱ローラ１２８と、所定の圧力で加熱ローラ１２８に押し当てられた加圧ローラ１２９とで構成されている。加熱ローラ１２８と加圧ローラ１２９の間を用紙が通過すると、熱と用紙への押圧力によって可視像が用紙に定着する。印刷部１２０は、定着装置１２７を通過した用紙を排紙トレイ１３０に排紙する。
【００４９】
上記手順により、複合機１００はコピーサービスをユーザに提供する。また、複合機１００が他のサービスを提供する場合も、自動原稿給送装置１０４と読取部１１０と印刷部１２０とが駆動して提供する。
【００５０】
図３は、複合機１００に備えられた操作部２００の外観の一例を示す図である。ユーザは、上記操作部２００を用いて、上述のような機能提供についての設定条件等を入力したり、書き込み情報を書き込んだり、所定の送信先へ書き込み情報を送信したりする。設定条件の入力、各サービスの実行開始等が行なわれる際に、上記操作部２００に備えられたタッチパネル３０１、タッチペン３０２、操作キー３０３が用いられる。
【００５１】
上記タッチパネル３０１には、上述した条件を入力する機能と、入力された設定条件や書き込み情報等を表示する機能とが兼ね備えられている。すなわち、タッチパネル３０１上に表示された画面内の選択項目等を押下することによって、選択項目等に関連付けられた設定条件の入力が行われ、所定のキーボード画面のキーまたは送信先を押下することによって、書き込み情報の入力、書き込み情報の送信が行なわれる。また、書き込み情報等は、そのままタッチパネル３０１上に表示されるため、その情報は随時視認される。
【００５２】
タッチパネル３０１の近傍には、タッチペン３０２が備えられており、ユーザがそのタッチペン３０２の先をタッチパネル３０１に接触させると、タッチパネル３０１下方に設けられたセンサが接触先を検知する。そのため、タッチペン３０２の接触により、キーボード画面のキーの押下や所定の手書き情報の入力が可能である。
【００５３】
さらに、タッチパネル３０１近傍には、所定数の操作キー３０３が設けられ、例えば、テンキー３０４、スタートキー３０５、クリアキー３０６、ストップキー３０７、リセットキー３０８、電源キー３０９が備えられている。なお、上記テンキー３０４は、部数や倍率を設定する際に具体的な数字の入力に用いられる。
【００５４】
次に、図４を用いて、複合機１００の制御系ハードウェアの構成を説明する。図４は、複合機１００における制御系ハードウェアの概略構成図である。ただし、本発明に直接には関係しない各部の詳細は省略している。
【００５５】
複合機１００の制御回路は、ＣＰＵ（Ｃｅｎｔｒａｌ  Ｐｒｏｃｅｓｓｉｎｇ  Ｕｎｉｔ）４０１、ＲＯＭ（Ｒｅａｄ  Ｏｎｌｙ  Ｍｅｍｏｒｙ）４０２、ＲＡＭ（Ｒａｎｄｏｍ  Ａｃｃｅｓｓ  Ｍｅｍｏｒｙ）４０３、ＨＤＤ（Ｈａｒｄ  Ｄｉｓｋ  Ｄｒｉｖｅ）４０４、各駆動部に対応するドライバ４０５を内部バス４０６によって接続している。上記ＣＰＵ４０１は、例えば、ＲＡＭ４０３を作業領域として利用し、上記ＲＯＭ４０２、ＨＤＤ４０４等に記憶されているプログラムを実行し、当該実行結果に基づいて上記ドライバ４０５と図示しない操作部２００からのデータ、指示を授受し、上記図１乃至図３に示した各駆動部等の動作を制御する。また、上記駆動部以外についても、上記ＣＰＵ４０１がプログラムを実行することで当該各手段を実現する。上記ＲＯＭ４０２、ＨＤＤ４０４等には、以下に説明する各手段を実現するプログラムやデータが記憶されている。
【００５６】
＜第一の実施形態＞
次に図５乃至図１０を参照しながら、第一の実施形態に係る複合機１００が、複合機に書き込まれた情報を適切に共有化する手順について説明する。図５は、第一の実施形態に係る複合機１００の機能ブロック図である。図６は、第一の実施形態に係る複合機１００の動作を示すためのフローチャートである。
【００５７】
複合機１００には、予めユーザが行う作業を検知するために、所定の光学センサ（作業検知手段）が所定の箇所に設けられている。
【００５８】
例えば、複合機１００の胴体部には、図７Ａ１、図７Ａ２に示すように、給紙カセットＡ１３２、給紙カセットＢ１３３、給紙カセットＣ１３４が重ねて配置されているが、各給紙カセット（Ａ１３２、Ｂ１３３、Ｃ１３４）は上方が開放された直方体の抽斗状であり、その前面には取手部７０１、７０２、７０３がそれぞれ設けられ、ユーザはその取手部７０１、７０２、７０３を引いて各給紙カセット（Ａ１３２、Ｂ１３３、Ｃ１３４）を前方へ引き出すこととなる。複合機１００の胴体内部側面の一部には、各給紙カセット（Ａ１３２、Ｂ１３３、Ｃ１３４）の奥側面と対向する位置に、その給紙カセットの奥側面の一部と接触（脱離）によりＯＮ（ＯＦＦ）信号を発信して、当該胴体内部側面との接触を検知可能な接触センサ（作業検知手段）（図７Ａ１、図７Ａ２には、給紙カセットＢ１３３に対応する接触センサ７０４を図示する）がそれぞれ１つずつ設けられている。
【００５９】
例えば、図７Ａ１に示すように、給紙カセットＢ１３３が複合機１００の胴体内部に収納されている場合、給紙カセットＢ１３３に対応する接触センサ７０４が複合機１００の胴体内部側面と接触しているため、ＯＮ信号を発信する。一方、図７Ａ２に示すように、ユーザによって、給紙カセットＢ１３３が引き出されると、その給紙カセットＢ１３３に対応する接触センサ７０４が複合機１００の胴体内部側面から脱離するため、接触センサ７０４がＯＦＦ状態となり、それを検知することによって、給紙カセットＢ１３３が引き出された状態を検知することが可能となる。言い換えると、ユーザがシートを補充するために給紙カセットＢ１３３を引き出す作業を検知することが可能となる。
【００６０】
給紙カセットＢ１３３が複合機１００に収納されている状態にて、ユーザが複合機１００に電源を投入すると、条件受付手段５０１が電源投入を検知して、タッチパネル３０１上に初期画面（例えば、図７Ｂに示す、コピー設定条件を入力するためのコピー設定入力画面）を表示させる。
【００６１】
例えば、ユーザが、複合機１００の給紙カセットＢ１３３にシートを補充するために、給紙カセットＢ１３３を引き出すと、その給紙カセットＢ１３３に対応する接触センサ７０４が給紙カセットＢ１３３の脱離を検知して、その旨の信号を書き込み情報表示手段５０２に送信する（図６：Ｓ１０１）。
【００６２】
書き込み情報表示手段５０２は、給紙カセットＢ１３３の開かれた状態、即ち、給紙カセットＢ１３３にシートを収納するユーザの作業の検知を受信すると、書き込み情報記憶手段５０３に記憶されている書き込み情報テーブルを参照し、給紙カセットＢ１３３の接触センサ７０４に関連付けられた書き込み情報を取得する（図６：Ｓ１０２）。
【００６３】
書き込み情報テーブルには、図１０Ｇに示すように、複合機１００に備えられた所定の作業検知センサ（作業検知手段）１００１に対して、その作業検知センサが作業を検知したか否かを示す情報１００２と、その作業検知センサが作業を検知した際に書き込まれた書き込み情報１００３とがそれぞれ関連付けて記憶されている。
【００６４】
作業検知センサが作業を検知したか否かを示す情報には、「○」１００４、「×」１００５が記憶されており、「○」１００４は作業検知センサが作業を検知していることを示す情報であり、「×」１００５は作業検知センサが作業を検知していないことを示す情報である。また、上記書き込み情報１００３には、書き込まれた時の日時１００６、書き込みを行った時のユーザ名１００７、具体的な内容１００８等が記憶されている。上記書き込み情報テーブルを参照することにより、上記書き込み情報表示手段５０２は、書き込まれた書き込み情報１００３のうち、検知された作業に対応する書き込み情報を取得することが可能となる。ここで、ユーザ名と日時とは省略しても構わない。
【００６５】
なお、所定の作業検知センサが作業を検知した際に書き込まれた書き込み情報１００３は、順次、書き込み情報テーブルに記憶されることとなるが、記憶される際には、最新の情報が書き込み情報表示手段５０２によって最初にタッチパネル３０１上に表示されるよう、所定の作業検知センサに対応する書き込み情報テーブルの上の行１００９に記憶されることとなる（図１０Ｈ）。
【００６６】
書き込み情報表示手段５０２が、給紙カセットＢ１３３の接触センサ７０４（接触センサ７０４は、図１０Ｇで作業検知センサＢに対応する）が検知した作業に対応する書き込み情報を取得すると、その書き込み情報が表示された書き込み情報表示画面を、タッチパネル３０１上に表示する（図６：Ｓ１０３）。
【００６７】
書き込み情報表示画面には、図８Ｃに示すように、検知された複合機１００の状態を示すメッセージ８０１「給紙カセットＢが開かれました。」と、給紙カセットＢ１３３の箇所が示されている複合機の全体図を模したプレビュー画像８０２と、取得した書き込み情報を表示する書き込み情報画面８０３と、書き込み情報受付画面を表示させる「書き込む」ボタン８０４と、従前に表示させていた画面を表示させる「戻る」ボタン８０５とが表示される。なお、書き込み情報画面８０３には、書き込み情報の日時８０６と、ユーザ名８０７と、具体的内容８０８が、上から日時の新しい順に表示される。そのため、ユーザは、最新の書き込み情報から順番に確認することが可能となる。
【００６８】
ユーザは、書き込み情報表示画面を見ながら、最新の書き込み情報８０９である「紙を給紙する際に、ガタガタと音がなる」を確認し、例えば、その内容を複合機の管理者へ連絡する。
【００６９】
連絡が完了すると、ユーザはその旨を書き込むために、書き込み情報表示画面の「書き込む」ボタン８０４を押下すると、書き込み情報表示手段５０２がその旨を書き込み情報受付手段５０４へ送信し、書き込み情報受付手段５０４が、書き込み情報表示画面の最前面に、入力装置であるキーボードを模したキーボード画面を表示させ、書き込み情報を受け付ける。
【００７０】
キーボード画面には、図８Ｄに示すように、所定のアルファベットを示すキー８１０と、書き込み入力を決定する「ＯＫ」ボタン８１１と、入力した書き込み情報をキャンセルする「ＣＡＮＣＥＬ」ボタン８１２と、入力した書き込み情報のローマ字、平仮名、片仮名、漢字等を相互に変換する「変換」ボタン８１３と、予め記憶されている所定のプログラムを作動させる「応用」ボタン８１４と、キーボード画面が表示された現時点の日時８１５と、書き込んでいる時点の書き込み情報の内容を示す書き込み画面８１６が表示される。
【００７１】
ユーザは、キーボード画面を見ながら、所定のキー８１０を押下して、新たにユーザ名「Ｃ」８１７と書き込み情報「ガタツキは管理者に連絡しました」８１８とを書き込み画面に入力し、「ＯＫ」ボタン８１１を押下すると、書き込み情報受付手段５０４が、現時点で検知している作業（接触センサ７０４が検知している作業）を確認し、受け付けたユーザ名と書き込み情報と日時を、最新の書き込み情報としてその作業に対応する書き込み情報テーブルの書き込み情報に記憶する（図６：Ｓ１０４→Ｓ１０５、図１０Ｈ）。
【００７２】
さらに、書き込み情報受付手段５０４は、キーボード画面から書き込み情報表示画面へ再度切り替え表示する。再度表示された書き込み情報表示画面には、図９Ｅに示すように、先ほど新たに記憶された書き込み情報９０１が表示されるため、ユーザは、自己の書き込んだ書き込み情報を確認することが可能となる。
【００７３】
ユーザは、更新された書き込み情報表示画面（図９Ｅ）を確認しながら、「戻る」ボタン８０５を押下すると、書き込み情報表示手段５０２は、条件受付手段５０１に初期画面（図７Ｂ）を表示させる（図６：Ｓ１０６）。これにより、ユーザは、通常の複合機１００の設定を行うことになる。
【００７４】
その後、例えば、別のユーザが給紙カセットＢ１３３を開いた場合、給紙カセットＢ１３３に対応する接触センサ７０４がその作業を検知し、書き込み情報表示手段５０２がその作業に対応する書き込み情報を書き込み情報表示画面（図９Ｅ）に表示することとなるが、表示される書き込み情報は、最新の書き込み情報「ガタツキは管理者に連絡しました」９０１が最上位に表示されるため、別のユーザは、その書き込み情報によって複合機１００の給紙カセットＢ１３３に関する最新の対応、経緯、やり取り等を容易に認識できる。その結果、例えば、別のユーザが、既に従前のユーザがガタツキについて管理者に連絡が完了しているにも関わらず、再度そのガタツキを管理者に連絡する等の余計な手間を解消することができる。
【００７５】
このように、所定の作業を検知した際に、その作業に対してユーザが書き込んだ書き込み情報を受け付けるよう構成することができる。
【００７６】
これにより、作業を行なっているユーザが、現時点で気がついた不具合や発見した便利な使い方等を、その作業に対して即時に書き込むことが可能となるため、各ユーザに所定の情報が留まることなく、その情報を別のユーザに知らせる機会を与え、情報の共有化を促進することが可能となる。さらに、所定の作業に対してユーザが書き込みを行うことができるため、書き込まれた情報が拡散し、適切に共有化されないことを防止する。
【００７７】
さらに、検知した作業と、その作業を検知した際に受け付けた書き込み情報とを関連付けて記憶し、所定の作業を検知した際に、その作業に関連付けられた書き込み情報を表示するよう構成することができる。
【００７８】
これにより、ユーザが現時点行っている作業に関連する書き込み情報をタイミングよく確認することが可能となる。そのため、ユーザは、表示された書き込み情報、例えば、警報に至らないまでの不具合を認識したり、便利な使い方・ノウハウ等を有効に活用することができ、結果として、各ユーザの保有していた有用な情報をユーザ相互で効率よく共有化することが可能となる。
【００７９】
なお、第一の実施形態の書き込み情報受付手段５０４は、図８Ｄに示すキーボード画面内の所定のキー８１０を押下することによって、ユーザが書き込んだ書き込み情報を受け付けるよう構成したが、例えば、図９Ｆに示すように、所定のキー９０２とは別個に、タッチペン３０２によって入力された手書き情報９０３を受け付けるよう構成しても構わない。例えば、手書き情報受付画面９０４を設けて、ユーザが書き込んだ手書き情報を受け付けるよう採用することができる。所定のキー８１０を数回押下するよりも、タッチペン３０２を利用して手書きで書き込み情報を入力するほうが簡便であり、迅速に入力することが可能となる。
【００８０】
なお、上記手書き情報受付画面９０４では、手書き情報をそのまま書き込み情報として受け付けても、手書き情報を所定の定形文字（標準文字）等に変換して受け付けても構わない。
【００８１】
＜第二の実施形態＞
次に図１１乃至１５を参照しながら、第二の実施形態の複合機１００が、複合機に書き込まれた情報を適切に共有化する手順について説明する。第一の実施形態と比較して、第二の実施形態の異なる点は、受け付けた書き込み情報を、所定の通信先に送信するとともに、その通信先から書き込み情報に対する返信情報を受信し、当該返信情報を、その書き込み情報に関連付けて記憶し、所定の作業を検知した際に、その作業に関連する書き込み情報とともに、その返信情報を表示する点である。その他の点については、第一の実施形態と同様であるため、第一の実施の形態の説明において用いた図面（図１乃至図１０）も適宜参照しながら、第二の実施形態について説明する。図１１は、第二の実施形態の複合機１００の機能ブロック図である。図１２は、第二の実施形態の複合機１００の動作を示すためのフローチャートである。
【００８２】
ユーザが複合機１００に電源を投入すると、条件受付手段５０１が電源投入を検知して、タッチパネル３０２上に初期画面（図７Ｂ）を表示させる。
【００８３】
ここで、ユーザが、給紙カセットＢ１３３にシートを補充するために、給紙カセットＢ１３３を引き出すと、その給紙カセットＢ１３３に対応する接触センサ７０４が給紙カセットＢ１３３の脱離を検知して、その旨の信号を書き込み情報表示手段５０２に送信する（図１２：Ｓ２０１）。
【００８４】
書き込み情報表示手段５０２は、給紙カセットＢ１３３にシートを収納するユーザの作業の検知を受信すると、書き込み情報記憶手段５０３に記憶されている書き込み情報テーブルを参照し、接触センサ７０４（図１５の作業検知センサＢ）に対応する作業１５０１に関連付けられた書き込み情報１５０２を取得し、その書き込み情報を書き込み情報表示画面に表示する（図１２：Ｓ２０２）。
【００８５】
書き込み情報表示画面には、図１３Ｉに示すように、所定のメッセージ１３０１「給紙カセットＢが開かれました。」と、給紙カセットＢの箇所が示されている複合機１００の全体図を模したプレビュー画像１３０２と、取得した書き込み情報１５０２を表示する書き込み情報画面１３０３と、「書き込む」ボタン１３０４と、「戻る」ボタン１３０５とが表示される。なお、書き込み情報画面１３０３には、書き込み情報の日時１３０６と、ユーザ名１３０７と、具体的内容１３０８が、上から日時の新しい順に表示される。また、書き込み情報は、書き込み情報表示手段５０２によって、一の書き込み情報を、文字が横方向に並列表記された行として表示させる方法（伝言板型の電子掲示板）を採用するが、例えば、特定の題目毎に個別のまとまりで表示する方法（ツリー型の電子掲示板）を採用しても構わない。
【００８６】
ユーザは、書き込み情報表示画面を見ながら、書き込み情報「紙を給紙する際に、ガタガタと音がなる」１３０９を確認し、例えば、その旨を管理者ＡＡへ連絡したい場合、「書き込む」ボタン１３０４を押下すると、書き込み情報受付手段５０４が、書き込み情報表示画面の最前面に、所定の送信先への送信機能も兼ね備えた送信機能付きキーボード画面を表示させる。
【００８７】
送信機能付きキーボード画面には、図１３Ｊに示すように、所定のアルファベットを示すキー１３１０と、「ＯＫ」ボタン１３１１と、「ＣＡＮＣＥＬ」ボタン１３１２と、「変換」ボタン１３１３と、「応用」ボタン１３１４と、現時点の日時１３１５と、書き込み画面１３１６の他に、連絡先（通信先）を指定する「連絡先」ボタン１３１７（例えば、予め記憶されている所定の管理者の氏名が表示された「管理者ＡＡ」ボタン１３１８、「管理者ＡＢ」ボタン１３１９等）と、連絡先を決定する「決定」ボタン１３２０と、その他の連絡先を記入するための「その他」ボタン１３２１と、決定された連絡先に書き込まれた書き込み情報を送信する「送信」ボタン１３２２が表示される。なお、「連絡先」ボタン１３１７の氏名表示は、例えば、連絡先の管理部門、メインテナンス担当者等でも構わない。
【００８８】
ユーザは、送信機能付きキーボード画面を見ながら、所定のキー１３１０を押下して、新たにユーザ名「Ｃ」１３２３と書き込み情報「給紙カセットＢの調子が悪いので見ていただけませんか？」１３２４とを書き込み画面に入力し、「ＯＫ」ボタン１３１１を押下すると、書き込み情報受付手段５０４は、当該書き込み情報を受け付ける（図１２：Ｓ２０３）。
【００８９】
さらに、ユーザは、書き込み情報を送信する送信先「管理者ＡＡ」ボタン１３１８を押下し、「決定」ボタン１３２０を押下すると、書き込み情報受付手段５０４は、送信先「管理者ＡＡ」１３１８を受け付けて、その「管理者ＡＡ」１３２５を書き込み画面１３１６に表示する。
【００９０】
続いて、ユーザが「送信」ボタン１３２２を押下すると、書き込み情報受付手段５０４が受け付けたユーザ名と書き込み情報と日時とに加えて、決定された「管理者ＡＡ」に予め関連付けて記憶されたメールアドレスを書き込み情報通信手段５０５に送信し、書き込み情報通信手段５０５は、書き込み情報を「管理者ＡＡ」のメールアドレス、に送信する（図１２：Ｓ２０４）。送信が完了すると、書き込み情報通信手段５０５が「送信済」１３２６の表示を送信機能付きキーボード画面に表示する。
【００９１】
さらに、書き込み情報受付手段５０４は、現時点で検知している作業（接触センサ７０４が検知している作業）を確認し、受け付けた書き込み情報（ユーザ名、日時、具体的内容）と、送信した送信先（「管理者ＡＡ」）を、最新の書き込み情報としてその作業に対応する書き込み情報テーブルの書き込み情報に記憶する（図１２：Ｓ２０５、図１０Ｈ）。
【００９２】
ユーザは、送信機能付きキーボード画面の「送信済」１３２６を確認しながら、再度「ＯＫ」ボタン１３１１を押下すると、書き込み情報受付手段５０４は、送信機能付きキーボード画面から書き込み情報表示画面へ再度切り替え表示する。
【００９３】
この場合、書き込み情報表示手段５０２は、図１４Ｋに示すように、先ほど新たに記憶された書き込み情報を表示するとともに、その書き込み情報の近傍に、当該書き込み情報は所定の送信先に送信された旨を示すメッセージ１４０１「管理者ＡＡに送信済」を表示する。これにより、ユーザは、自己の書き込んだ書き込み情報を確認することができるとともに、別のユーザも、所定の書き込み情報に対して何らかの対処がなされていることを確認することが可能となる。例えば、上記メッセージを書き込み情報表示画面に表示させる際に、別の書き込み情報と区別可能となるよう、太字で表示しても構わない。
【００９４】
ユーザは、更新された書き込み情報表示画面を確認しながら、「戻る」ボタン１３０５を押下すると、書き込み情報表示手段５０２は、条件受付手段５０１に初期画面（図７Ｂ）を表示させる（図１２：Ｓ２０６）。これにより、ユーザは、通常の複合機１００の設定を行うことになる。
【００９５】
さて、パーソナルコンピューター等によって先ほどの書き込み情報を受信した管理者ＡＡが、例えば、保守担当に連絡した等の対処をし、その旨（例えば、返信情報として具体的内容「保守担当に連絡しました」）を複合機１００に返信したとすると、複合機１００の書き込み情報通信手段５０５が、当該返信情報の具体的内容と、返信情報が返信された日時、返信を行った管理者名「管理者ＡＡ」を受信し、図１５に示すように、その返信情報１５０３を先ほどの書き込み情報１５０４に対応させて書き込み情報テーブルに記憶させる（図１２：Ｓ２０７→Ｓ２０８）。これにより、送信された書き込み情報１５０４とその返信情報１５０３とが関連付けられる。なお、書き込み情報通信手段５０５が返信情報を受信した際に、例えば、受信した旨「返信情報を受信しました」等をタッチパネル３０２上に表示しても構わない。
【００９６】
続いて、別のユーザが複合機１００のタッチパネル３０２上の初期画面を見ながら、給紙カセットＢ１３３を引き出すと、接触センサ７０４がその作業を検知し、書き込み情報表示手段５０２がその作業に対応する書き込み情報と返信情報とを書き込み情報表示画面に表示する（図１２：Ｓ２０９→Ｓ２１０）。
【００９７】
この場合、書き込み情報表示画面には、図１４Ｌに示すように、表示された書き込み情報「給紙カセットＢの調子が悪いので見ていただけませんか？」１３２４の下方に返信情報であることを示す文字１４０２（例えば、「回答」）と、当該返信情報１４０３（日時、管理者名、具体的内容「保守担当に連絡しました」）を表示する。この表示により、別のユーザは、その書き込み情報と返信情報を確認して、給紙カセットＢ１３３についての現時点での対処、やり取りを確認することが可能となり、その結果、別のユーザは、給紙カセットＢ１３３の不具合を重複して管理者ＡＡに連絡することはない。
【００９８】
このように、受け付けた書き込み情報を、所定の通信先に送信するとともに、その書き込み情報に対して通信先から返信情報を受信し、受信した返信情報を、その返信情報に対応する書き込み情報に関連付けて記憶し、所定の作業を検知した際に、その作業に関連つけられた書き込み情報と、その返信情報とを表示するよう構成することができる。
【００９９】
これにより、作業を行なっているユーザが現時点で発見した不具合や気になる事項を、そのまま所定の連絡先、例えば、画像形成装置の管理者やサービスマンに対して容易に送信することが可能となる。そのため、警報に至らない些細な不具合についても、そのまま放置にされることなく、その処理を促進することが可能となる。さらに、所定の連絡先から受信した返信情報を、送信した書き込み情報とともに表示するため、書き込まれた不具合等に対応して所定の処理が施されたか否かを別のユーザも確認することが可能となるため、現時点での対応内容や新たな情報についても共有化を図ることが可能となる。
【０１００】
なお、第一の実施形態乃至第二の実施形態では、書き込まれた書き込み情報が所定の不具合に関する情報であったが、便利な使い方や複合機を使用する際のノウハウ・コツに関する情報であっても発明の作用効果を奏することは言うまでもない。
【０１０１】
また、第一の実施形態乃至第二の実施形態の作業検知手段は、所定のセンサの応答に基づいて、ユーザが行う作業を検知するよう構成したが、他の方法によって検知するよう構成してもよく、例えば、ユーザによる所定条件の入力操作を検知するよう構成しても構わない。
【０１０２】
また、第一の実施形態乃至第二の実施形態の書き込み情報表示手段は、作業検知手段が所定の作業を検知した際に、書き込み情報を表示するよう構成したが、例えば、書き込み情報を表示させる所定のボタンを別個に設けて、そのボタンが押下された際に表示するよう構成しても構わない。さらに、書き込み情報が所定の条件入力を妨害するようであれば、その書き込み情報を非表示にする非表示ボタンを設けて、その非表示ボタンが押下されると、表示された書き込み情報を非表示にするよう構成しても構わない。
【０１０３】
また、第一の実施形態乃至第二の実施形態の書き込み情報表示手段は、作業検知手段が所定の作業を検知した際に、書き込み情報を表示するよう構成したが、例えば、ユーザの作業も含めて、複合機に発生した所定の不具合を検知した際に、その作業・不具合に対応する書き込み情報を表示するよう構成しても構わない。
【０１０４】
また、第一の実施形態乃至第二の実施形態の書き込み情報表示手段は、書き込み情報受付手段が受け付けた最新の書き込み情報を優先的に表示するよう構成したが、例えば、書き込み情報が所定量蓄積されて、有用な情報が直ちに表示されなくなるようであれば、書き込み情報のうち、その書き込み情報内のキーワードを抽出可能なキーワード検索手段を新たに設けて、そのキーワード検索手段によってユーザが必要としている書き込み情報を表示するよう構成しても構わない。例えば、ユーザが「音」というキーワードを入力すると、キーワード検索手段が当該「音」に関連する書き込み情報を優先的に抽出して表示させると、ユーザは、所定の不具合等に対して迅速に対処することが可能となる。
【０１０５】
また、第一の実施形態乃至第二の実施形態の書き込み情報受付手段は、何人も書き込み情報を書き込めるよう構成したが、特定のユーザにのみ書き込みを許可する書き込み情報許可手段をさらに設けて、特定のユーザの書き込み情報のみを受付・記憶・表示するよう構成しても構わない。上記構成とすると、セキュリティー上極めて安全となる。
【０１０６】
また、第一の実施形態乃至第二の実施形態の書き込み情報受付手段は、新たな書き込み情報を順次記憶するよう構成しているが、例えば、既に書き込まれた書き込み情報を削除する書き込み情報削除手段をさらに設けて、不要な情報、陳腐化した情報を適宜削除するよう構成しても構わない。さらに、その書き込み情報削除手段に、特定のユーザにのみ書き込みの削除を許可する書き込み情報削除許可手段を設けても構わない。上記構成とすると、セキュリティー上極めて安全となる。
【０１０７】
また、上記複合機による書き込み情報の表示方法は、例えば、複合機やパーソナルコンピュータ（ＰＣ）にインストールされるドライバプログラムとして提供することもできる。例えば、複合機にインストールされた際には、その複合機に備えられたタッチパネル等の表示画面に上述した画面等を表示させる方法でも、本発明の作用効果を奏する。その他に、上記ＰＣにインストールされた際には、そのＰＣと複合機とが接続され、ＰＣのデスクトップ等の表示画面に上述した画面等を表示させる方法でも、本発明の作用効果を奏する。
【０１０８】
また、本発明の実施形態では、複合機が各手段を備えるよう構成したが、当該各手段を実現するプログラムを記憶媒体に記憶させ、当該記憶媒体を提供するよう構成しても構わない。上記構成では、上記プログラムを複合機に読み出させ、その複合機が上記各手段を実現する。その場合、上記記録媒体から読み出されたプログラム自体が本発明の作用効果を奏する。さらに、各手段が実行するステップをハードディスクに記憶させる記憶方法として提供することも可能である。
【０１０９】
また、本発明の実施形態では、コピーサービスに関して採用したが、例えば、ファクシミリサービス、スキャナサービス、プリンタサービス、ネットワークスキャンサービス後処理サービス等にも採用することができる。
【産業上の利用可能性】
【０１１０】
以上のように、本発明に係る画像形成装置は、複写機、プリンタ、複合機等に有用であり、画像形成装置に関連する情報を適切に共有化することが可能な画像形成装置及び画像形成装置の表示方法として有効である。
【図面の簡単な説明】
【０１１１】
【図１】本発明の実施形態に係る複合機内部の全体構成を示す概念図である。
【図２】本発明の実施形態に係る自動原稿給送装置を示す概念図である。
【図３】本発明の実施形態に係るタッチパネル上に表示された画面の一例を示す図である。
【図４】本発明の実施形態に係る発明の制御系ハードウェアの構成を示す図である。
【図５】第一の実施形態に係る複合機の機能ブロック図である。
【図６】第一の実施形態の実行手順を示すためのフローチャートである。
【図７】第一の実施形態のタッチパネル上に表示された画面の一例を示す第一の図である。
【図８】第一の実施形態のタッチパネル上に表示された画面の一例を示す第二の図である。
【図９】第一の実施形態のタッチパネル上に表示された画面の一例を示す第三の図である。
【図１０】第一の実施形態に係る書き込み情報テーブルの一例を示す図である。
【図１１】第二の実施形態に係る複合機の機能ブロック図である。
【図１２】第二の実施形態の実行手順を示すためのフローチャートである。
【図１３】第二の実施形態のタッチパネル上に表示された画面の一例を示す第一の図である。
【図１４】第二の実施形態のタッチパネル上に表示された画面の一例を示す第二の図である。
【図１５】第二の実施形態に係る書き込み情報テーブルの一例を示す図である。
【符号の説明】
【０１１２】
１００  複合機
３０２  タッチパネル
５０１  条件受付手段
５０２  書き込み情報表示手段
５０３  書き込み情報記憶手段
５０４  書き込み情報受付手段
５０５  書き込み情報通信手段
７０４  接触センサ
【図１】
0005027733.tif 000002
【図２】
0005027733.tif 000003
【図３】
0005027733.tif 000004
【図４】
0005027733.tif 000005
【図５】
0005027733.tif 000006
【図６】
0005027733.tif 000007
【図７】
0005027733.tif 000008
【図８】
0005027733.tif 000009
【図９】
0005027733.tif 000010
【図１０】
0005027733.tif 000011
【図１１】
0005027733.tif 000012
【図１２】
0005027733.tif 000013
【図１３】
0005027733.tif 000014
【図１４】
0005027733.tif 000015
【図１５】
0005027733.tif 000016